【手続補正書】
【提出日】平成18年4月19日(2006.4.19)
【手続補正１】
【補正対象書類名】明細書
【補正対象項目名】特許請求の範囲
【補正方法】変更
【補正の内容】
【特許請求の範囲】
【請求項１】
固定子巻線を収容するスロットを形成するティース部が設けられている固定子と、ティース先端部と間隙を介して配置されている回転子とを備え、回転子には、回転子の軸方向に直角な断面において、永久磁石が収容される磁石収容孔が設けられている主磁極部と補助磁極部が周方向に交互に配置されており、スロットには、固定子巻線が集中巻方式により収容されている永久磁石回転機であって、
回転子の外周部は、主磁極部のｄ軸と交差し、凸部側が外周方向を向いた第１の曲線部分と、補助磁極部のｑ軸と交差し、凸部側が外周方向を向いた第２の曲線部分が交互に接続されて形成され、第２の曲線部分の曲率半径が第１の曲線部分の曲率半径より大きく設定されている、
永久磁石回転機。
【請求項２】
請求項１に記載の永久磁石回転機であって、第１の曲線部分の開角（機械角）をθ、回転子の極対数をＰとした時、
［（３８／Ｐ）度≦θ≦（８２／Ｐ）度］
を満足するように構成されている、永久磁石回転機。
【請求項３】
請求項１または２に記載の永久磁石回転機であって、回転子の中心から外周部までの距離の中で最も長い距離Ｒを半径とする外周線と第２の曲線部分との間の距離の中で最も長い距離をＤ、スロット数をＮとした時、
［（３．４８／Ｎ）mm≦Ｄ≦（６．０６／Ｎ）mm］
を満足するように構成されている、永久磁石回転機。
【請求項４】
請求項１または２に記載の永久磁石回転機であって、ティース先端部の端部には、回転子の回転方向に沿って傾斜している切欠部が設けられており、回転子の中心から外周部までの距離の中で最も長い距離Ｒを半径とする外周線と第２の曲線部分との間の距離の中で最も長い距離をＤ１、切欠部の最大切欠長をＤ２とした時、
［（３．４８／Ｎ）mm≦（Ｄ１＋Ｄ２）≦（６．０６／Ｎ）mm］
を満足するように構成されている、永久磁石回転機。
【請求項５】
請求項１〜４のいずれかに記載の永久磁石回転機であって、回転子の中心から外周部までの距離の中で最も長い距離をＲ、回転子の中心と第１の曲線部分の曲率中心との間の距離をｈ、スロット数をＮとした時、
［（−６．３／Ｎ）％≦（ｈ／２Ｒ×１００）≦（６．３／Ｎ）％］
を満足するように構成されている、永久磁石回転機。
【請求項６】
請求項１に記載の永久磁石回転機であって、第１の曲線部分の開角（機械角）をθ、回転子の外周部とティース先端部との間隙の中で最も短い間隙をｇ、回転子の中心から外周部までの距離の中で最も長い距離Ｒを半径とする外周線と第２の曲線部分との間の距離の中で最も長い距離をＤ、回転子の極対数をＰとした時、
［（０．５）mm≦Ｄ≦{（ｇ／１０）×Ｐ×（θ／２）−ｇ}mm］、
及び、［（２４／Ｐ）度≦θ≦（８０／Ｐ）度］
を満足するように構成されている、永久磁石回転機。
【請求項７】
請求項１に記載の永久磁石回転機であって、ティース先端部の端部には、回転子の回転方向に沿って傾斜している切欠部が設けられており、第１の曲線部分の開角をθ、回転子の外周部とティース先端部との間隙の中で最も短い間隙をｇ、回転子の中心から外周部までの距離の中で最も長い距離Ｒを半径とする外周線と第２の曲線部分との間の距離の中で最も長い距離をＤ１、回転子の極対数をＰ、切欠部の最大切欠長をＤ２とした時、
［（０．５）mm≦（Ｄ１＋Ｄ２）≦{（ｇ／１０）×Ｐ×（θ／２）−ｇ}mm］、
及び、［（２４／Ｐ）度≦θ≦（８０／Ｐ）度］
を満足するように構成されている、永久磁石回転機。
【請求項８】
請求項１〜７のいずれかに記載の永久磁石回転機であって、第１の曲線部分はｄ軸上に曲率中心を有する円弧形状に形成され、第２の曲線部分はｑ軸上に曲率中心を有する円弧形状に形成されている、永久磁石回転機。
【請求項９】
請求項１〜８のいずれかに記載の永久磁石回転機であって、磁石収容孔は、主磁極部の中央部にブリッジ部が形成されるように設けられている、永久磁石回転機。
【請求項１０】
請求項１〜９のいずれかに記載の永久磁石回転機であって、永久磁石の端部より回転子の外周部側に空隙部が設けられている、永久磁石回転機。
【手続補正２】
【補正対象書類名】明細書
【補正対象項目名】０００８
【補正方法】変更
【補正の内容】
【０００８】
【課題を解決するための手段】
前記課題を解決するための本発明の第１発明は、請求項１に記載されたとおりの永久磁石回転機である。
請求項１に記載の永久磁石回転機では、固定子のスロットに集中巻方式で固定子巻線を収容し、回転子の外周部は、軸方向に直角な断面において、それぞれｄ軸及びｑ軸と交差し、凸部側が外周方向を向いた第１及び第２の曲線部分が交互に接続されて形成され、第２の曲線部分の曲率半径が第１の曲線部分の曲率半径より大きく設定されている。これにより、回転子の特定箇所に磁束が集中するのを防止することができるとともに、磁束量の変化を小さくして起電力波形に含まれる高調波成分を低減することができ、効率を十分に向上させることができる。
なお、第１及び第２の曲線部分の形状は、凸型の曲線形状であればよい。
第１発明に記載された永久磁石回転機の各部の値を適切な範囲に設定することによって、より効率を向上させることができる。
例えば、請求項２に記載されている第２発明のように、第１の曲線部分の開角（機械角）をθ、回転子の極対数をＰとした時、開角θが条件［（３８／Ｐ）度≦θ≦（８２／Ｐ）度］を満足するように構成する。
あるいは、請求項３に記載されている第３発明のように、回転子の中心から外周部までの距離の中で最も長い距離Ｒを半径とする外周線と第２の曲線部分との間の距離の中で最も長い距離をＤ、スロット数をＮとした時、距離Ｄが条件［（３．４８／Ｎ）mm≦Ｄ≦（６．０６／Ｎ）mm］を満足するように構成する。
あるいは、請求項４に記載されている第４発明のように、ティース先端部の端部に、回転子の回転方向に沿って傾斜している切欠部を設け、回転子の中心から外周部までの距離の中で最も長い距離Ｒを半径とする外周線と、第２の曲線部分との間の距離の中で最も長い距離をＤ１、切欠部の最大切欠長をＤ２とした時、条件［（３．４８／Ｎ）mm≦（Ｄ１＋Ｄ２）≦（６．０６／Ｎ）mm］を満足するように構成する。
あるいは、請求項５に記載されている第５発明のように、回転子の中心から外周部までの距離の中で最も長い距離をＲ、回転子の中心と第１の曲線部分の曲率中心との間の距離をｈ、スロット数をＮとした時、ずれ量［ｈ／２Ｒ×１００］が条件［（−６．３／Ｎ）％≦（ｈ／２Ｒ×１００）≦（６．３／Ｎ）％］を満足するように構成する。
あるいは、請求項６に記載されている第６発明のように、第１の曲線部分の開角（機械角）をθ、回転子の外周部とティース先端部との間隙の中で最も短い間隙をｇ、回転子の中心から外周部までの距離の中で最も長い距離Ｒを半径とする外周線と第２の曲線部分との間の距離の中で最も長い距離をＤ、回転子の極対数をＰとした時、条件［（０．５）mm≦Ｄ≦｛（ｇ／１０）×Ｐ×（θ／２）−ｇ｝mm］、及び、［（２４／Ｐ）度≦θ≦（８０／Ｐ）度］を満足するように構成する。
あるいは、請求項７に記載されている第７発明のように、ティース先端部の端部に、回転子の回転方向に沿って傾斜している切欠部を設け、第１の曲線部分の開角をθ、回転子の外周部とティース先端部との間隙の中で最も短い間隙をｇ、回転子の中心から外周部までの距離の中で最も長い距離Ｒを半径とする外周線と第２の曲線部分との間の距離の中で最も長い距離をＤ１、回転子の極対数をＰ、切欠部の最大切欠長をＤ２とした時、条件［（０．５）mm≦（Ｄ１＋Ｄ２）≦｛（ｇ／１０）×Ｐ×（θ／２）−ｇ｝mm］、及び、［（２４／Ｐ）度≦θ≦（８０／Ｐ）度］を満足するように構成する。
ここで、請求項８に記載されている第８発明のように、第１の曲線部分を、ｄ軸上に曲率中心を有する円弧形状に形成し、第２の曲線部分を、ｑ軸上に曲率中心を有する円弧形状に形成することにより、回転子の第１及び第２の曲線部分を容易に形成することができる。
また、請求項９に記載されている第９発明のように、主磁極部の中央部にブリッジ部が設けられるように磁石収容孔を構成するのが好ましい。この場合には、回転子の強度が増大し、音や振動等の発生を防止することができる。
また、請求項１０に記載されている第１０発明のように、永久磁石の端部より回転子の外周側に空隙部を設けることができる。
【手続補正３】
【補正対象書類名】明細書
【補正対象項目名】００３２
【補正方法】変更
【補正の内容】
【００３２】
【発明の効果】
以上説明したように、請求項１〜１０に記載の永久磁石回転機を用いれば、十分に効率を向上させることができる。